(57)【要約】【課題】媒体から読み取った１つのコード情報に対応する１つのデータを再生する場合と比較して、多彩なデータ再生を可能とする。【解決手段】音声データ格納部３１は、複数の音声データをそれぞれコード情報に対応させて格納する。制御部３２は、読み取りペン１０１により読み取られた２つのコード情報にそれぞれ対応する２つの音声データを、音声データ格納部３１から取得する。編集部３３は、制御部３２により取得された２つの音声データを１つの音声データに編集する。再生部３４は、編集部３３により編集された後の１つの音声データを再生し、スピーカ１７から音声信号として出力する。【選択図】図４
2012068697.tif 000002
【特許請求の範囲】
【請求項１】
複数の再生用データをそれぞれコード情報に対応させて格納する格納手段と、
媒体上に形成されたコード情報を読み取る読取手段と、
前記読取手段により読み取られた複数のコード情報にそれぞれ対応する複数の再生用データを前記格納手段から取得する取得手段と、
前記取得手段により取得された複数の再生用データを１つの再生用データに編集する編集手段と、
前記編集手段により編集された後の再生用データを再生する再生手段と、
を備えたデータ再生装置。
【請求項２】
複数の再生用データをそれぞれ複数のコード情報の組み合わせに対応させて格納する格納手段と、
媒体上に形成されたコード情報を読み取る読取手段と、
前記読取手段により読み取られた複数のコード情報の組み合わせに対応する再生用データを前記格納手段から取得する取得手段と、
前記取得手段により取得された再生用データを再生する再生手段と、
を備えたデータ再生装置。
【請求項３】
複数の再生用データをそれぞれ複数のコード情報の組み合わせおよびコード情報が読み取られた順番に対応させて格納する格納手段と、
媒体上に形成されたコード情報を読み取る読取手段と、
前記読取手段により読み取られた複数のコード情報の組み合わせおよびコード情報が読み取られた順番に対応する再生用データを前記格納手段から取得する取得手段と、
前記取得手段により取得された再生用データを再生する再生手段と、
を備えたデータ再生装置。
【請求項４】
複数の再生用データをそれぞれ複数のコード情報の組み合わせおよび時刻の範囲に対応させて格納する格納手段と、
媒体上に形成されたコード情報を読み取る読取手段と、
現在の時刻を計時して時刻情報として管理する時刻管理手段と、
前記読取手段により読み取られた複数のコード情報の組み合わせおよび前記時刻管理手段により管理されている時刻情報に対応する再生用データを前記格納手段から取得する取得手段と、
前記取得手段により取得された再生用データを再生する再生手段と、
を備えたデータ再生装置。
【請求項５】
前記コード情報が、複数のドットの配列位置に基づいて情報を現すドットパターンにより媒体上に形成されている請求項１から４のいずれか１項記載のデータ再生装置。
【請求項６】
前記再生用データが、音声データ、静止画像データまたは動画像データのいずれか１つまたはこれらのデータのうちの少なくとも２つ以上の組み合わせである請求項１から５のいずれか１項記載のデータ再生装置。
【請求項７】
媒体上に形成された複数のコード情報を読み取るステップと、
読み取られた複数のコード情報にそれぞれ対応する複数の再生用データを取得するステップと、
取得された複数の再生用データを１つの再生用データに編集するステップと、
編集された後の再生用データを再生するステップとをコンピュータに実行させるためのプログラム。
【請求項８】
媒体上に形成されたコード情報を読み取るステップと、
読み取られた複数のコード情報の組み合わせに対応する再生用データを取得するステップと、
取得された再生用データを再生するステップとをコンピュータに実行させるためのプログラム。
【請求項９】
媒体上に形成された複数のコード情報を読み取るステップと、
読み取られた複数のコード情報の組み合わせおよびコード情報が読み取られた順番に対応する再生用データを取得するステップと、
取得された再生用データを再生するステップとをコンピュータに実行させるためのプログラム。
【請求項１０】
媒体上に形成された複数のコード情報を読み取るステップと、
読み取られた複数のコード情報の組み合わせおよび現在の時刻を示す時刻情報に対応する再生用データを取得するステップと、
取得された再生用データを再生するステップとをコンピュータに実行させるためのプログラム。
【発明の詳細な説明】
【技術分野】
【０００１】
本発明は、データ再生装置およびプログラムに関する。
【背景技術】
【０００２】
例えば、特許文献１には、印刷物上に配置された文字や図形等に重ねて印字されたドットパターンをペン型、またはマウス型のスキャナで読み取り、読み取られたドットパターンに対応するコンテンツを再生するようにした情報再生装置が開示されている。
【０００３】
また、特許文献２には、スクリーンコードのような非可視化されたドットパターンを印刷物上に印刷し、印刷物上のスクリーンコードを認識して対応するマルチメディアデータを再生するようにしたマルチメディア再生装置が開示されている。
【先行技術文献】
【特許文献】
【０００４】
【特許文献１】特開２００６−１９０２７０号公報
【特許文献２】特開２００９−１７５３２号公報
【発明の概要】
【発明が解決しようとする課題】
【０００５】
本発明の目的は、媒体から読み取った１つのコード情報に対応する１つのデータを再生する場合と比較して、多彩なデータ再生が可能なデータ再生装置およびプログラムを提供することである。
【課題を解決するための手段】
【０００６】
［データ再生装置］
請求項１に係る本発明は、複数の再生用データをそれぞれコード情報に対応させて格納する格納手段と、
媒体上に形成されたコード情報を読み取る読取手段と、
前記読取手段により読み取られた複数のコード情報にそれぞれ対応する複数の再生用データを前記格納手段から取得する取得手段と、
前記取得手段により取得された複数の再生用データを１つの再生用データに編集する編集手段と、
前記編集手段により編集された後の再生用データを再生する再生手段とを備えたデータ再生装置である。
【０００７】
請求項２に係る本発明は、複数の再生用データをそれぞれ複数のコード情報の組み合わせに対応させて格納する格納手段と、
媒体上に形成されたコード情報を読み取る読取手段と、
前記読取手段により読み取られた複数のコード情報の組み合わせに対応する再生用データを前記格納手段から取得する取得手段と、
前記取得手段により取得された再生用データを再生する再生手段とを備えたデータ再生装置である。
【０００８】
請求項３に係る本発明は、複数の再生用データをそれぞれ複数のコード情報の組み合わせおよびコード情報が読み取られた順番に対応させて格納する格納手段と、
媒体上に形成されたコード情報を読み取る読取手段と、
前記読取手段により読み取られた複数のコード情報の組み合わせおよびコード情報が読み取られた順番に対応する再生用データを前記格納手段から取得する取得手段と、
前記取得手段により取得された再生用データを再生する再生手段とを備えたデータ再生装置である。
【０００９】
請求項４に係る本発明は、複数の再生用データをそれぞれ複数のコード情報の組み合わせおよび時刻の範囲に対応させて格納する格納手段と、
媒体上に形成されたコード情報を読み取る読取手段と、
現在の時刻を計時して時刻情報として管理する時刻管理手段と、
前記読取手段により読み取られた複数のコード情報の組み合わせおよび前記時刻管理手段により管理されている時刻情報に対応する再生用データを前記格納手段から取得する取得手段と、
前記取得手段により取得された再生用データを再生する再生手段とを備えたデータ再生装置である。
【００１０】
請求項５に係る本発明は、前記コード情報が、複数のドットの配列位置に基づいて情報を現すドットパターンにより媒体上に形成されている請求項１から４のいずれか１項記載のデータ再生装置である。
【００１１】
請求項６に係る本発明は、前記再生用データが、音声データ、静止画像データまたは動画像データのいずれか１つまたはこれらのデータのうちの少なくとも２つ以上の組み合わせである請求項１から５のいずれか１項記載のデータ再生装置である。
【００１２】
[プログラム]
請求項７に係る本発明は、媒体上に形成された複数のコード情報を読み取るステップと、
読み取られた複数のコード情報にそれぞれ対応する複数の再生用データを取得するステップと、
取得された複数の再生用データを１つの再生用データに編集するステップと、
編集された後の再生用データを再生するステップとをコンピュータに実行させるためのプログラムである。
【００１３】
請求項８に係る本発明は、媒体上に形成されたコード情報を読み取るステップと、
読み取られた複数のコード情報の組み合わせに対応する再生用データを取得するステップと、
取得された再生用データを再生するステップとをコンピュータに実行させるためのプログラムである。
【００１４】
請求項９に係る本発明は、媒体上に形成された複数のコード情報を読み取るステップと、
読み取られた複数のコード情報の組み合わせおよびコード情報が読み取られた順番に対応する再生用データを取得するステップと、
取得された再生用データを再生するステップとをコンピュータに実行させるためのプログラムである。
【００１５】
請求項１０に係る本発明は、媒体上に形成された複数のコード情報を読み取るステップと、
読み取られた複数のコード情報の組み合わせおよび現在の時刻を示す時刻情報に対応する再生用データを取得するステップと、
取得された再生用データを再生するステップとをコンピュータに実行させるためのプログラムである。
【発明の効果】
【００１６】
請求項１に係る本発明によれば、媒体から読み取った１つのコード情報に対応する１つのデータを再生する場合と比較して、多彩なデータ再生が可能なデータ再生装置を提供することができる。
【００１７】
請求項２に係る本発明によれば、媒体から読み取った１つのコード情報に対応する１つのデータを再生する場合と比較して、多彩なデータ再生が可能なデータ再生装置を提供することができる。
【００１８】
請求項３に係る本発明によれば、媒体から読み取った１つのコード情報に対応する１つのデータを再生する場合と比較して、多彩なデータ再生が可能なデータ再生装置を提供することができる。
【００１９】
請求項４に係る本発明によれば、媒体から読み取った１つのコード情報に対応する１つのデータを再生する場合と比較して、多彩なデータ再生が可能なデータ再生装置を提供することができる。
【００２０】
請求項５に係る本発明によれば、請求項１から４のいずれか１項記載の本発明により得られる効果に加えて、ユーザの目障りとなることなく媒体上にコード情報を形成することが可能なデータ再生装置を提供することができる。
【００２１】
請求項６に係る本発明によれば、請求項１から５のいずれか１項記載の本発明により得られる効果に加えて、媒体から読み取った複数のコード情報に基づいて、音声データ、静止画像データまたは動画像データのいずれか１つまたはこれらのデータのうちの少なくとも２つ以上の組み合わせを再生用データとして再生することが可能なデータ再生装置を提供することができる。
【００２２】
請求項７に係る本発明によれば、媒体から読み取った１つのコード情報に対応する１つのデータを再生する場合と比較して、多彩なデータ再生が可能なプログラムを提供することができる。
【００２３】
請求項８に係る本発明によれば、媒体から読み取った１つのコード情報に対応する１つのデータを再生する場合と比較して、多彩なデータ再生が可能なプログラムを提供することができる。
【００２４】
請求項９に係る本発明によれば、媒体から読み取った１つのコード情報に対応する１つのデータを再生する場合と比較して、多彩なデータ再生が可能なプログラムを提供することができる。
【００２５】
請求項１０に係る本発明によれば、媒体から読み取った１つのコード情報に対応する１つのデータを再生する場合と比較して、多彩なデータ再生が可能なプログラムを提供することができる。
【図面の簡単な説明】
【００２６】
【図１】本発明の第１の実施形態の音声再生装置１００の構成を示す図である。
【図２】本発明の第１の実施形態の音声再生装置１００における読み取りペン１０１の構成を説明するための図である。
【図３】本発明の第１の実施形態における装置本体部１０２のハードウェア構成を示すブロック図である。
【図４】本発明の第１の実施形態における装置本体部１０２の機能構成を示すブロック図である。
【図５】音声データ格納部３１に格納されている音声データの一例を示す図である。
【図６】本発明の第１の実施形態の音声再生装置１００にける処理の流れを説明するためのフローチャートである。
【図７】本発明の第１の実施形態の音声再生装置１００により使用する印刷物の一例を示す図である。
【図８】図７に示した印刷物上において読み取りペン１０１を使用してコード情報を読み取る際の具体的な動作を説明するための図である。
【図９】本発明の第２の実施形態の音声再生装置において使用される英会話教材の一例を示す図である。
【図１０】本発明の第２の実施形態の音声再生装置における音声データ格納部３１に格納されている音声データの一例を示す図である。
【図１１】図９に示した印刷物上において読み取りペン１０１を使用してコード情報を読み取る際の具体的な動作を説明するための図である。
【図１２】本発明の第２の実施形態の音声再生装置における音声データ格納部３１において、２つのコード情報の組み合わせおよびコード情報が読み取られた順番に対応させて音声データを格納した場合の一例を示す図である。
【図１３】本発明の第２の実施形態の音声再生装置における音声データ格納部３１において、２つのコード情報の組み合わせおよび時刻情報に対応させて音声データを格納した場合の一例を示す図である。
【発明を実施するための形態】
【００２７】
次に、本発明の実施の形態について図面を参照して詳細に説明する。
【００２８】
[第１の実施形態]
図１は本発明の第１の実施形態の音声再生装置１００の構成を示す図である。
【００２９】
本実施形態の音声再生装置１００は、図１に示されるように、読み取りペン１０１と、装置本体部１０２とから構成されている。
【００３０】
図１における読み取りペン１０１は、通信線１０３を介して装置本体部１０２と接続されている。読み取りペン１０１は、印刷物上に印字されているドットパターンを読み取り、読み取ったドットパターンの画像データを装置本体部１０２に送信する。つまり、読み取りペン１０１は、印刷物等の媒体上に形成されたコード情報を読み取る読取手段として機能する。また、図１における装置本体部１０２は、読み取りペン１０１から画像データを受信すると、受信した画像データ中のドットパターンの画像をコード情報に変換し、得られたコード情報に基づいて音声データを再生する。
【００３１】
なお、図１において、読み取りペン１０１と装置本体部１０２は通信線１０３を介して画像データを送受信する場合について説明しているが、読み取りペン１０１と装置本体部１０２の間の通信は有線に限定されるものではない。無線通信を行う場合、読み取りペン１０１には、画像データを送信するための無線送信部を設け、装置本体部１０２には、読み取りペン１０１から送信されたコード情報を受信するための無線受信部を設けるようにすればよい。
【００３２】
次に、読み取りペン１０１の構成および動作を図２を参照して説明する。
【００３３】
図２（Ａ）に動作前の読み取りペン１０１と英会話教材、絵本等の印刷物１１６を示す。読み取りペン１０１は、ペン状部材１１１、圧力スイッチ１１２、読み取り部１１３、発光部１１４、受光部１１５により構成される。読み取り部１１３の先端部にはレンズなどの光学素子が取り付けられ、先端から末部にかけての中心軸近傍は、光を通すように空洞あるいは光学素子で構成される。
【００３４】
図２（Ｂ）では、読み取りペン１０１が印刷物１１６に押し当てられた場合を示している。読み取り部１１３は、読み取り部１１３の先端が印刷物１１６と接触して圧力が加わると、ペン状部材１１１内部に入り込み、圧力スイッチ１１２に圧力を加える。そして、圧力スイッチ１１２が、読み取り部１１３により圧力が加えられたことを検出すると、発光部１１４から読み取り部１１３の先端に向かって赤外線などの光が発射される。受光部１１５は、発光部１１４から発射された光が印刷物１１６から反射した反射光を受光することで、読み取り部１１３の先端と印刷物１１６が接している領域から読み取りを開始するとともに、装置本体部１０２へ読み取った画像データの送信を開始する。
【００３５】
図２（Ｃ）では、読み取りペン１０１が印刷物１１６から離れた場合を示している。読み取り部１１３の先端が印刷物１１６から離れて圧力から開放されると、読み取り部１１３は、圧力スイッチ１１２と読み取り部１１３の間に設置された図示しない弾性部材により、ペン状部材１１１内部から押し出されて、読み取りペン１０１が印刷物１１６に押し当てられる前の図２（Ａ）に示す初期位置に戻る。そして、圧力スイッチ１１２が読み取り部１１３からの圧力から開放されたことを検出すると、発光部１１４は光の発射を停止するとともに、装置本体部１０２への画像データ送信を停止し、読み取りペン１０１の読み取り動作が終了する。
【００３６】
次に、本実施形態の音声再生装置１００における装置本体部１０２のハードウェア構成を図３に示す。
【００３７】
装置本体部１０２は、図３に示されるように、ＣＰＵ１９、メモリ１２、ハードディスクドライブ（ＨＤＤ）やフラッシュメモリ等の記憶装置１３、接続されている読み取りペン１０１との間でデータの送受信を行う通信インタフェース（ＩＦ）１４、液晶ディスプレイや各種スイッチ等のユーザインタフェース（ＵＩ）装置１５、音声合成等の各種音声データに対する処理を行う音声処理部１６、スピーカ１７を有する。スピーカ１７以外のこれらの構成要素は、制御バス１８を介して互いに接続されている。
【００３８】
ＣＰＵ１９は、メモリ１２または記憶装置１３に格納された制御プログラムに基づいて所定の処理を実行して、音声再生装置１００の動作を制御する。なお、本実施形態では、ＣＰＵ１９は、メモリ１２または記憶装置１３内に格納された制御プログラムを読み出して実行するものとして説明したが、当該プログラムをＣＤ−ＲＯＭ等の記憶媒体に格納してＣＰＵ１９に提供することも可能である。
【００３９】
図４は、上記の制御プログラムが実行されることにより実現される音声再生装置１００の機能構成を示すブロック図である。
【００４０】
本実施形態の音声再生装置１００は、図４に示されるように、音声データ格納部３１と、制御部３２と、編集部３３と、再生部３４と、時刻管理部３５と、スピーカ１７を備えている。
【００４１】
音声データ格納部３１は、複数の音声データをそれぞれコード情報に対応させて格納する。この音声データ格納部３１に格納されている音声データの一例を図５に示す。図５に示した例では、音声データがそれぞれコード情報に対応して格納されている。例えば、“３００１”というコード情報に対応して“Could you deliver this to my hotel ?”という音声を再生するための音声データが格納され、“４００１”というコード情報に対応して“that”という音声を再生するための音声データが格納されている。
【００４２】
制御部３２は、読み取りペン１０１により読み取られた２つのコード情報にそれぞれ対応する２つの音声データを、音声データ格納部３１から取得する。編集部３３は、制御部３２により取得された２つの音声データを１つの音声データに編集する。なお、編集部３３が２つの音声データをどのようにして１つの音声データに編集するかについては下記において詳述する。
【００４３】
再生部３４は、編集部３３により編集された後の１つの音声データを再生し、スピーカ１７から音声信号として出力する。時刻管理部３５は、現在の時刻を計時して時刻情報として管理する。
【００４４】
次に、本実施形態の音声再生装置１００の動作を図面を参照して詳細に説明する。
【００４５】
先ず、本実施形態の音声再生装置１００における処理の流れを図６のフローチャートを参照して説明する。
【００４６】
装置本体部１０２における制御部３２は、読み取りペン１０１が印刷物に接触しているか離れているのかを読み取りペン１０１からの検出信号により監視している。そして、制御部３２は、読み取りペン１０１が印刷物に接触したと判定した場合（ステップＳ２０１においてｙｅｓ）、その際に読み取りペン１０１に読み取られたコード情報を第１のコード情報として記憶する（ステップＳ２０２）。
【００４７】
そして、制御部３２は、読み取りペン１０１に読み取られたコード情報を順次確認し、読み取りペン１０１が印刷物から離れたと判定した場合（ステップＳ２０３においてｙｅｓ）、印刷物から離れる直前に確認されたコード情報を第２のコード情報として記憶する（ステップＳ２０４）。
【００４８】
そして、２つのコード情報を取得した制御部３２は、その２つのコード情報に対応する２つの音声データを音声データ格納部３１から取得する（ステップＳ２０５）。そして、制御部３２は、取得した２つの音声データを編集部３３に転送し、編集部３３では、転送されてきた２つの音声データを１つの音声データに編集する（ステップＳ２０６）。
【００４９】
すると、再生部３４では、編集部３３により編集された音声データを再生し、スピーカ１７を介して音声信号を出力する（ステップＳ２０７）。
【００５０】
次に、具体的な印刷物の例を参照して本実施形態の音声再生装置１００の動作を説明する。ここでは、本実施形態の音声再生装置１００を海外旅行の旅先において使用する英文再生装置として使用する場合を用いて説明を行なう。
【００５１】
本実施形態の音声再生装置１００により使用する印刷物の一例を図７に示す。この図７に示した印刷物では、印刷物上に構成された所定の領域３、４ａ〜４ｈ、５ａ、５ｂ毎にそれぞれ異なるコード情報がドットパターンとして印刷されている。ここでドットパターンとは、複数のドットの配列位置に基づいて情報を現すようにしたものであり、１つ１つのドットパターンは微小なため、ユーザはドットパターンが印刷されていることを認識することなく、他の印刷内容を見ることができるようになっている。また、このドットパターンは微小なため、予め設定された領域内に同じ内容のものが繰り返し連続して印刷されている。そのため、読み取りペン１０１を領域内のどの場所に接触させたとしても、読み取りペン１０１によりドットパターンを読み取ってコード情報を取得することが可能となっている。
【００５２】
例えば、図７に示した印刷物においては、“Could you deliver this to my hotel ?  これを私のホテルに配送していただけますか？”という文字が印刷されている領域３内において“３００１”というコード情報を現したドットパターンが繰り返し印刷されている。
【００５３】
また、同様にして、領域４ａ〜４ｈ、５ａ、５ｂ内には、“４００１”、“４００２”、“４００３”、・・・・“５００１”、“５００２”というコード情報を現したドットパターンがそれぞれ繰り返し印刷されている。
【００５４】
このような印刷物上において読み取りペン１０１を使用してコード情報を読み取る際の具体的な動作を図８を参照して説明する。
【００５５】
例えば、図８に示す例では、“these(これら)”が印刷されている領域４ｂにおいて読み取りペン１０１を接触させている（ドラッグ操作）。そして、ユーザは、そのままの状態で読み取りペン１０１を移動させて“Could you deliver this to my hotel ?  これを私のホテルに配送していただけますか？”という文字が印刷されている領域３まで移動させ、この領域３において読み取りペン１０１が印刷物から離された場合が示されている（ドロップ操作）。
【００５６】
このような動作が行われた場合、領域４ｂに印刷されているドットパターンにより現されたコード情報“４００２”が第１のコード情報として取得され、領域３に印刷されているドットパターンにより現されたコード情報“３００１”が第２のコード情報として取得される。
【００５７】
つまり、ユーザは、パーソナルコンピュータ等のマウスの操作において使用されている、いわゆるドラッグ＆ドロップの操作を行う要領により２つのコード情報を指定することが可能である。
【００５８】
すると、制御部３２は、このコード情報“４００２”、“３００１”に対応する音声データを音声データ格納部３１から取得する。図５を参照すると分かるように、コード情報“４００２”に対応する音声データは“these”であり、コード情報“３００１”に対応する音声データは“Could you deliver this to my hotel ?”であるため、制御部３２は、この２つの音声データを取得する。
【００５９】
そして、編集部３３では、この２つの音声データを１つの音声データに編集する処理が行われる。具体的には、“Could you deliver this to my hotel ?”の“this”の部分を、“these”に置き換えるような編集処理を行う。
【００６０】
このような編集処理を行うには様々な方法が存在するが、例えば、“Could you deliver this to my hotel ?”という音声データを、“Could you deliver”“this” “to” “my hotel”という４つの音声データにより構成しておき、“this”という音声データを“these”に置き換えるようにして“Could you deliver”“these” “to” “my hotel”という４つの音声データを連続して再生するような音声データを生成するような方法が考えられる。
【００６１】
同様な方法により、図７に示した印刷物において、“this address（この住所）”という領域５ａで読み取りペン１０１のドラッグ操作を行い、領域３において読み取りペン１０１のドロップ動作を行った場合には、“Could you deliver this to my hotel ?”の“my hotel”の部分を“this address”に置き換えるような編集処理が行われる。
【００６２】
そして、このようにして編集された後の音声データは装置本体部１０２の再生部３４において再生され、スピーカ１７から音声が出力される。
【００６３】
なお、本実施形態の音声再生装置１００では、図７に示したような印刷物を用いた処理が行われる場合、第１のコード情報が“４００１”、“４００２”、“４００３”、・・・・“５００１”、“５００２”のいずれかであり、かつ第２のコード情報が“３００１”である場合以外の場合では、操作が無効とされ音声データの取得、編集および再生の処理は行われない。
【００６４】
[第２の実施形態]
次に、本発明の第２の実施形態の音声再生装置について説明する。本実施形態の音声再生装置における基本的な構成は、上記で説明した第１の実施形態の音声再生装置１００とほぼ同じであるため、以下の説明においては図１〜４において示した第１の実施形態の音声再生装置１００の構成を用いて説明を行なう。
【００６５】
本実施形態では、音声再生装置を、図９に示すような英会話教材を用いて英会話の練習を行うための英会話学習装置として使用する場合を用いて説明を行なう。
【００６６】
図９に示す英会話教材は、様々なキャラクタの絵が印刷された印刷物である。そして、この図９に示した印刷物では、印刷物上に構成された所定の領域６〜１１毎にそれぞれ異なるコード情報がドットパターンとして印刷されている。例えば、猫の絵が印刷されている領域６内には、“６００１”というコード情報を現したドットパターンが繰り返し印刷されている。また、同様にして、領域７〜１１内には、“７００１”、“８００１”、“９００１”、“１０００１”、“１１００１”というコード情報を現したドットパターンがそれぞれ繰り返し印刷されている。
【００６７】
本実施形態における音声データ格納部３１は、複数の音声データをそれぞれ２つのコード情報の組み合わせに対応させて格納する。そして、制御部３２は、読み取りペン１０１により読み取られた２つのコード情報の組み合わせに対応する音声データを音声データ格納部３１から取得する。そして、再生部３４は、制御部３２により取得された１つの音声データを再生する。つまり、本実施形態では、編集部３３では、音声データの編集処理を行わず、制御部３２により取得された音声データはそのまま再生部３４に転送される。
【００６８】
そして、本実施形態の音声再生装置における音声データ格納部３１には、例えば、図１０に示すような音声データが格納されている。
【００６９】
一例として、“６００１”、“７００１”という２つのコード情報の組み合わせに対して“I like the rabbit.”という音声データが対応して格納されている。また、“６００１”、“８００１”という２つのコード情報の組み合わせに対して“I like to eat the mouse.”という音声データが対応して格納されている。
【００７０】
このような設定が行われている状態で、本実施形態の音声再生装置において、図１１に示すような操作が行われた場合の動作を説明する。この図１１では、猫の絵が印刷されている領域６において読み取りペン１０１のドラッグ操作が行われ、うさぎの絵が印刷されている領域７において読み取りペンのドロップ操作が行われている。そのため、制御部３２では、第１のコード情報として“６００１”というコード情報を取得し、第２のコード情報として“７００１”というコード情報が取得される。そのため、制御部３２は、このコード情報“６００１”、“７００１”というコード情報の組み合わせに対応する音声データを音声データ格納部３１から取得する。図１０を参照すると分かるように、コード情報“６００１”、“７００１”というコード情報の組み合わせに対応する音声データは“I like the rabbit.”であるため、制御部３２は、この音声データを取得する。
【００７１】
そして、制御部３２により取得された音声データは再生部３４において再生され、スピーカ１７からI like the rabbit.”という音声が出力される。
【００７２】
なお、図１０に示した音声データ格納部３１では、２つのコード情報の組み合わせに対して音声データを対応付けて格納するようにしていたが、図１２に示すように、２つのコード情報の組み合わせおよびコード情報が読み取られた順番に対応させて音声データを格納するようにしても良い。
【００７３】
このような場合、制御部３２は、読み取りペン１０１により読み取られた２つのコード情報の組み合わせおよびコード情報が読み取られた順番に対応する音声データを音声データ格納部３１から取得する。
【００７４】
例えば、読み取りペン１０１のドラッグ操作時に取得された第１のコード情報が“６００１”であり、ドロップ操作時に取得された第２のコード情報が“７００１”の場合には、“I like the rabbit.”という音声データが取得される。しかし、読み取り順が逆になり、第１のコード情報が“７００１”であり、第２のコード情報が“６００１”の場合には、“I dont't like the cat.”という音声データが取得される。
【００７５】
さらに、図１０に示した音声データ格納部３１では、２つのコード情報の組み合わせに対して音声データを対応付けて格納するようにしていたが、図１３に示すように、２つのコード情報の組み合わせおよび時刻の範囲に対応させて音声データを格納するようにしても良い。
【００７６】
このような場合、制御部３２は、読み取りペン１０１により読み取られた２つのコード情報の組み合わせおよび時刻管理部３５により管理されている時刻情報に対応する音声データを音声データ格納部３１から取得する。
【００７７】
例えば、読み取りペン１０１のドラッグ操作時に取得された第１のコード情報が“６００１”であり、ドロップ操作時に取得された第２のコード情報が“７００１”の場合で、時刻情報が１０：００の場合には、“I like the rabbit.”という音声データが取得される。しかし、第１のコード情報が“６００１”であり、第２のコード情報が“７００１”の場合でも、時刻情報が２２：３０の場合には、“I'm sleepy <name> good night.”という音声データが取得される。ここで、“<name>”の部分には、予め登録されたユーザ名が挿入される。
【００７８】
さらに、２つのコード情報の組み合わせ、コード情報が読み取られた順番および時刻の範囲に対して、音声データを対応させても良いし、図５に示したような第１の実施形態における音声データ格納部３１においても、１つのコード情報に対して時刻の範囲で異なる複数の音声データを対応させるようにしても良い。
【００７９】
[変形例]
上記実施形態では、音声データを再生用データとして再生する音声再生装置に本発明を適用した場合を用いて説明したが、本発明はこれに限定されるものではない。音声データ以外の静止画像データ、動画像データを再生用データとして再生するデータ再生装置に対しても本発明を適用することができるものである。また、音声データ、静止画像データまたは動画像データ単独でなく、これらのデータのうちの少なくとも２つ以上のデータを組み合わせたものを再生用データとして再生することも可能である。
【００８０】
また、上記実施形態では、コード情報をドットパターンとして印刷物等の媒体上に形成するようにしていたが、他の方法により媒体上に形成するようにしてもよい。また、コード情報ではなく、印刷物上の位置を示す位置情報をドットパターン等により媒体上に印刷しておき、この位置情報を読み取って再生用データを再生するような場合でも本発明は同様に適用可能である。
【００８１】
さらに、本発明では、２つの音声データを編集する場合や、２つのコード情報の組み合わせ等に基づいて音声データを取得する場合を用いて説明しているが、３つ以上の音声データを編集する場合や、３つ以上のコード情報の組み合わせ等に基づいて音声データを取得するような場合でも同様に本発明は適用可能である。
【００８２】
さらに、上記実施形態では、読み取りペン１０１と装置本体部１０２とからなる音声再生装置を用いて説明しているが、読み取りペン１０１と装置本体部１０２の機能を全てまとめてペン型形状の音声再生装置とすることも可能である。
【００８３】
さらに、上記実施形態では、印刷物上に印刷されたドットパターンを読み取ってコード情報を取得して音声を再生しているが、印刷物以外の媒体であってもドットパターンを形成可能なものであれば同様に適用可能である。例えば、立体的形状の玩具や文具、日用品等の各種媒体上に形成されたドットパターンを読み取って音声データを再生するような場合でも、本発明は適用可能である。
【符号の説明】
【００８４】
３、４ａ〜４ｈ、５ａ、５ｂ、６〜１１    領域
１９    ＣＰＵ
１２    メモリ
１３    記憶装置
１４    通信インタフェース（ＩＦ）
１５    ユーザインタフェース（ＵＩ）装置
１６    音声処理部
１７    スピーカ
１８    制御バス
３１    音声データ格納部
３２    制御部
３３    編集部
３４    再生部
３５    時刻管理部
１００    音声再生装置
１０１    読み取りペン
１０２    装置本体部
１０３    通信線
１１１    ペン状部材
１１２    圧力スイッチ
１１３    読み取り部
１１４    発光部
１１５    受光部
【図１】
2012068697.tif 000003
【図２】
2012068697.tif 000004
【図３】
2012068697.tif 000005
【図４】
2012068697.tif 000006
【図５】
2012068697.tif 000007
【図６】
2012068697.tif 000008
【図７】
2012068697.tif 000009
【図８】
2012068697.tif 000010
【図９】
2012068697.tif 000011
【図１０】
2012068697.tif 000012
【図１１】
2012068697.tif 000013
【図１２】
2012068697.tif 000014
【図１３】
2012068697.tif 000015